(57)【要約】【課題】調湿能力を高めること。【解決手段】実施例の冷蔵庫は、貯蔵室内に設けられたものであって食品が投入される食品容器と、食品容器内に設けられた調湿部材と、食品容器の壁面および調湿部材間に設けられたものであって当該壁面および調湿部材間に隙間を形成するスペーサ部材を備えたものである。【選択図】図３
2017067337.tif 000002
【特許請求の範囲】
【請求項１】
冷気が供給される貯蔵室と、
前記貯蔵室内に設けられたものであって、食品が投入される食品容器と、
前記食品容器内に設けられた調湿部材と、
前記食品容器の壁面および前記調湿部材間に設けられたものであって、当該壁面および前記調湿部材間に隙間を形成するスペーサ部材を備えた冷蔵庫。
【請求項２】
前記調湿部材は、吸水性を有する材料をシート状に成形したものである請求項１に記載の冷蔵庫。
【請求項３】
前記食品容器は、前記壁面を取囲む周壁面を有するものであり、
前記調湿部材の外周面および前記食品容器の周壁面間には、隙間が形成されている請求項１または２に記載の冷蔵庫。
【請求項４】
複数列および複数段に配列された複数のスペーサ部材を備え、
前記複数のスペーサ部材のそれぞれは、隣の列のスペーサ部材および隣の段のスペーサ部材のそれぞれに隙間を介して対向している請求項１から３のいずれかに記載の冷蔵庫。
【請求項５】
前記調湿部材には、前記食品容器の壁面とは反対側の面に位置して食品皿が設けられている請求項１から４のいずれかに記載の冷蔵庫。
【発明の詳細な説明】
【技術分野】
【０００１】
実施例は冷蔵庫に関する。
【背景技術】
【０００２】
冷蔵庫には食品容器を備えたものがある。この食品容器は食品が投入されるものであり、貯蔵室内に収納されている。
【先行技術文献】
【特許文献】
【０００３】
【特許文献１】特開平１０−２３８９３４号公報
【発明の概要】
【発明が解決しようとする課題】
【０００４】
上記従来の冷蔵庫の場合には食品容器内が貯蔵室内の冷気で乾燥し易く、食品容器内を食品の保存に適した湿度にコントロールすることが困難である。
【課題を解決するための手段】
【０００５】
実施例の冷蔵庫は、冷気が供給される貯蔵室と、前記貯蔵室内に設けられたものであって食品が投入される食品容器と、前記食品容器内に設けられた調湿部材と、前記食品容器の壁面および前記調湿部材間に設けられたものであって当該壁面および前記調湿部材間に隙間を形成するスペーサ部材を備えたものである。
【図面の簡単な説明】
【０００６】
【図１】実施例１を示す図（冷蔵庫の内部構成を示す断面図）
【図２】チルドケースと調湿シートと食品皿の外観を示す図
【図３】（ａ）はＸａ線に沿う断面図、（ｂ）はＸｂ線に沿う断面図
【図４】図３のＸ４部を拡大して示す図
【発明を実施するための形態】
【実施例１】
【０００７】
図１のキャビネット１は外箱および内箱間に断熱材を介在してなるものであり、断熱性を有している。このキャビネット１は前面が開口するものであり、Ｒドア２およびＶドア３を有している。このキャビネット１内には冷蔵室４および野菜室５が形成されている。これら冷蔵室４および野菜室５は水平な非断熱性の仕切壁６を挟んで上下方向に隣接するものであり、冷蔵室４の前面はＲドア２が操作されることに応じて開閉され、野菜室５の前面はＶドア３が操作されることに応じて開閉される。この冷蔵室４は貯蔵室に相当するものである。
【０００８】
冷蔵室４内には、図１に示すように、水平な棚板７が装着されている。この棚板７は透光性を有するものであり、棚板７および仕切壁６間には前面が開口するチルドスペース８が形成されている。このチルドスペース８は冷蔵室４内に区画されたものであり、冷蔵室４内のうちチルドスペース８を除いた残りの部分に比べて低温度にコントロールされる。
【０００９】
キャビネット１内には、図１に示すように、ダクトカバー９が固定されており、キャビネット１の後壁およびダクトカバー９間には冷気ダクト１０が形成されている。この冷気ダクト１０は冷蔵室４および野菜室５を跨ぐ縦長なものであり、入口１１とチルド出口１２と冷蔵出口を有している。入口１１は野菜室５内に開口するものであり、チルド出口１２はチルドスペース８内に開口するものであり、冷蔵出口はチルドスペース８に比べて上で冷蔵室４内に開口している。
【００１０】
冷気ダクト１０内には、図１に示すように、ファン装置１３が固定されている。このファン装置１３はファンモータの回転軸にファンを固定したものであり、ファン装置１３の運転状態では野菜室５内の空気が冷気ダクト１０の入口１１から冷気ダクト１０内に吸引される。この空気は冷気ダクト１０内を上昇し、チルド出口１２からチルドスペース８内に吐出され、チルドスペース８に比べて上で冷蔵出口から冷蔵室４内に吐出される。この冷蔵室４は野菜室５に通じるものであり、チルド出口１２から吐出された空気および冷蔵出口から吐出された空気は野菜室５内に進入する。
【００１１】
冷気ダクト１０内には、図１に示すように、エバポレータ１４が固定されている。このエバポレータ１４はコンプレッサからコンデンサを通して冷媒が供給されるものであり、チルド出口１２および冷蔵出口の双方に比べて下に配置されている。このエバポレータ１４は冷気ダクト１０内を上昇する空気を冷却するものであり、ファン装置１３およびエバポレータ１４の運転状態ではチルド出口１２からチルドスペース８内に冷気が吐出され、冷蔵出口から冷蔵室４内に冷気が吐出される。
【００１２】
チルドスペース８はチルド出口１２から冷気が供給されることに応じて２℃前後の凍結直前の温度帯域に冷却されるものであり、図１に示すように、チルドスペース８内にはチルドケース２０が収納されている。このチルドケース２０はＲドア２の開放状態でチルドスペース８の前面を通して前へ引出されるものであり、チルドスペース８の前面を通して後へ押込まれる。このチルドケース２０は食品容器に相当するものであり、次のように構成されている。
【００１３】
チルドケース２０は透明な合成樹脂を材料とするものであり、図２に示すように、前板２１と後板２２と底板２３と左板２４と右板２５を有している。このチルドケース２０は上面が開口する四角箱状をなすものであり、手掛部２６を有している。この手掛部２６は使用者がチルドケース２０をチルドスペース８内に対して出し入れする場合に手指を掛けるものであり、前板２１の前面から前へ突出している。
【００１４】
チルドケース２０は、図３に示すように、２つの摺動部２７を有している。これら２つの摺動部２７のそれぞれは底板２３の下面から下へ突出するものであり、図１に示すように、仕切壁６の上面に載せられている。これら２つの摺動部２７のそれぞれは、図３に示すように、前後方向へ指向する細長なものであり、一方の摺動部２７は底板２３の左端部に配置され、他方の摺動部２７は底板２３の右端部に配置されている。
【００１５】
チルドケース２０は、図３に示すように、複数の突部２８を有している。これら複数の突部２８のそれぞれは底板２３の上面から上へ突出するものであり、高さ寸法が互いに同一に設定されている。これら複数の突部２８のそれぞれはスペーサ部材に相当するものであり、左右方向の幅寸法に比べて前後方向の長さ寸法が大きな細長な形状をなしている。
【００１６】
複数の突部２８は、図２に示すように、左右方向に複数列および前後方向に複数段に配列されたものであり、複数の突部２８のうち最も左端の一列は左板２４の内面に隙間を介して対向し、最も右端の一列は右板２５の内面に隙間を介して対向している。これら複数の突部２８のそれぞれは隣の列の突部２８および隣の段の突部２８の双方に隙間を介して対向するものであり、複数の突部２８のうち最も前の一列は前板２１の内面に隙間を介して対向し、最も後の一列は後板２２の内面に隙間を介して対向している。
【００１７】
チルドケース２０内には、図３に示すように、四角板状の吸湿シート２９が収納されている。この吸湿シート２９は合成ゴムおよびポリマーの混合物をシート状に成形したものであり、調湿部材に相当する。この吸湿シート２９のポリマーは湿度が高いに場合に水分を吸収し且つ湿度が低い場合に水分を放出するものであり、乾燥させることで繰返し使用することが可能なものである。
【００１８】
吸湿シート２９は、図４に示すように、複数の突部２８上に着脱可能に載せられたものである。この吸湿シート２９はチルドケース２０内に水平に収納されたものであり、複数の突部２８は吸湿シート２９の下面およびチルドケース２０の底面間に隙間を形成している。この吸湿シート２９の前後方向の長さ寸法は、図３に示すように、前板２１および後板２２間の間隔寸法に比べて小さく設定されており、吸湿シート２９の前端面および前板２１間には隙間が形成され、吸湿シート２９の後端面および後板２２間にも隙間が形成されている。この吸湿シート２９の左右方向の幅寸法は左板２４および右板２５間の間隔寸法に比べて小さく設定されており、吸湿シート２９の左端面および左板２４間には隙間が形成され、吸湿シート２９の右端面および右板２５間にも隙間が形成されている。即ち、調湿シート２９の外周面およびチルドケース２０の周壁面間には全域に渡って隙間が形成されている。
【００１９】
チルドケース２０内には、図３に示すように、食品皿３０が収納されている。この食品皿３０はアルミニウムを材料とするものであり、図２に示すように、皿板３１および周板３２を有している。皿板３１は肉および魚等の食品が載せられるものであり、吸湿シート２９に対して面積および輪郭形状のそれぞれが略同一の四角形状をなしている。この皿板３１は吸湿シート２９上に着脱可能に載せられたものであり、チルドケース２０内に水平に収納されている。周板３２は皿板３１の外周部を取囲む四角筒状をなしている。この周板３２は食品が皿板３１から水平方向にはみ出すことを防止するものであり、周板３２の外周面およびチルドケース２０の周壁面間には全域に渡って隙間が形成されている。
【００２０】
上記実施例１によれば次の効果を奏する。
チルドケース２０内に調湿シート２９を収納した。従って、調湿シート２９がチルドケース２０内から水分を吸収すると共にチルドケース２０内に水分を放出するので、チルドケース２０内が食品の保存に適した湿度にコントロールされる。
【００２１】
チルドケース２０の底面および調湿シート２９の下面間に突部２８を設けることに応じて両者間に隙間を形成した。従って、調湿シート２９をチルドケース２０の底面に直接的に載せる場合に比べて調湿シート２９のうち冷気に接触する面積が増えるので、調湿シート２９の湿度調節能力が高まる。しかも、チルドケース２０内に水が溜った場合に調湿シート２９が水に濡れることを防止できるので、調湿シート２９の湿度調節能力が水に濡れる影響で損われることを防止できる。
【００２２】
調湿部材として吸水性を有する材料をシート状に成形した調湿シート２９を用いた。従って、調湿部材の厚さ寸法が最小限に抑えられるので、チルドケース２０の食品収納容積が調湿部材の影響で大きく削減されることを防止できる。
【００２３】
調湿シート２９の外周面およびチルドケース２０の内周面間に隙間を形成した。このため、チルドケース２０内の冷気が両者間の隙間を通して調湿シート２９の下面に回り込むので、調湿シート２９の下面に沿って冷気が流動する。従って、調湿シート２９に接触する冷気の量が増えるので、調湿シート２９の湿度調節能力が高まる。
【００２４】
調湿シート２９の下面およびチルドケース２０の底面間に複数列および複数段に突部２８を設けたので、調湿シート２９が食品の荷重で局部的に大きく凹むことが抑えられる。しかも、複数の突部２８のそれぞれを隣の列の突部２８および隣の段の突部２８の双方に隙間を介して対向させた。従って、左右方向に隣接する突部２８間および前後方向に隣接する突部２８間のそれぞれに冷気が流通するので、調湿シート２９の下面に対する冷気の接触量が複数の突部２８の影響で大幅に減ることを防止できる。
【００２５】
調湿シート２９のうちチルドケース２０の底面とは反対側の上面に食品皿３０を載せたので、食品を調湿シート２９の上面に直接的に載せる必要がなくなる。従って、調湿シート２９が食品からの水分で濡れることを防止できるので、調湿シート２９の湿度調節能力が水に濡れる影響で損われることを防止できる。
【００２６】
食品皿３０の外周面およびチルドケース２０の内周面間に隙間を形成したので、チルドケース２０内の冷気が両者間の隙間を通して調湿シート２９の下面に回り込む。従って、調湿シート２９に接触する冷気の量が食品皿３０の影響で減ることが抑えられるので、調湿シート２９の湿度調節能力が食品皿３０の影響で低下することを防止できる。
【００２７】
上記実施例１においては、アルミニウム製の食品皿３０に換えてセラミック製の食品皿を用いても良い。このセラミック製の食品皿は調湿機能を有するものであり、チルドケース２０内が調湿シート２９および食品皿の双方で調湿される。
【００２８】
上記実施例１においては、調湿シート２９の外周面およびチルドケース２０の内周面間のうちの一部に隙間を形成しても良い。
上記実施例１においては、食品皿３０の外周面およびチルドケース２０の内周面間のうちの一部に隙間を形成しても良い。
【００２９】
上記実施例１においては、食品皿３０に換えて周板３２が廃止された平板を用いても良い。
上記実施例１においては、食品皿３０に複数の突部を設けても良い。これら複数の突部のそれぞれは食品皿３０の皿板３１から下へ突出するものであり、皿板３１の下面および調湿シート２９の上面間に隙間を形成する。この構成の場合には調湿シート２９の上面に対する冷気の接触力が増えるので、調湿シート２９の湿度調節能力が高まる。
【００３０】
上記実施例１においては、調湿シート２９の上面に合成樹脂製または金属製のコーティング層を設けても良い。この構成の場合には調湿シート２９の上面が食品からの水分で濡れることを防止できるので、食品皿３０を廃止することができる。
【００３１】
上記実施例１においては、調湿シート２９をチルドケース２０の前板２１と後板２２と左板２４と右板２５のいずれかに設けても良い。この構成の場合にはチルドケース２０の前板２１〜右板２５に調湿シート２９に向けて突出する１以上のスペーサ部材を設け、調湿シート２９を調湿シート２９の配置面に対して浮かせることが好ましい。
【００３２】
上記実施例１においては、野菜容器内に調湿シート２９を設けても良い。この野菜容器は上面が開口する四角箱状をなすものであり、野菜室５内に収納されている。この構成の場合には野菜容器の壁面に調湿シート２９に向けて突出する１以上のスペーサ部材を設け、調湿シート２９を調湿シート２９の配置面に対して浮かせることが好ましい。
【００３３】
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００３４】
４は冷蔵室（貯蔵室）、２０はチルドケース（食品容器）、２８は突部（スペーサ部材）、２９は調湿シート（調湿部材）、３０は食品皿である。
【図１】
2017067337.tif 000003
【図２】
2017067337.tif 000004
【図３】
2017067337.tif 000005
【図４】
2017067337.tif 000006